(57)【要約】【課題】キートップとケースの貫通孔との干渉を防ぎ、キートップとケースの貫通孔との間の隙間を低減することができるキースイッチ装置及びキーボードを提供する。【解決手段】ケース８０の貫通孔８１の中心とキートップ６０の中心とが互いにずれる場合でも、ケース８０の突起８２が実装板２０の貫通孔２２に嵌合されるまで、キートップ６０、ハウジング５０及びリンク部材４０が装着された実装板２０は、メンブレンシート３０及び支持板１０に対して前後左右に移動可能である。【選択図】図２
2018170133.tif 000002
【特許請求の範囲】
【請求項１】
キートップと、
前記キートップが貫通する第１貫通孔及び下方に延伸する第１突起を有するケースと、
前記キートップが貫通する第２貫通孔、前記第１突起が貫通する第３貫通孔及び下方に延伸する第２突起を有し、前記ケースの下に配置されるフレームと、
前記キートップに摺動可能又は回動可能に取り付けられる第１被取付部と、回動可能に又は摺動可能に実装板に取り付けられる第２被取付部とを有し、互いに連動して前記キートップを昇降させる一対のリンク部材と、
前記第１突起が貫通する第４貫通孔、前記第２突起が貫通する第５貫通孔及び前記一対のリンク部材を受容する開口部を有するメンブレンシートと、
前記第２突起を固定する支持板と、
前記第２被取付部を回動可能に又は摺動可能に取り付ける取付部及び前記第１突起が嵌合される第６貫通孔を有し、前記メンブレンシートと前記支持板との間に配置される実装板とを備え、
前記第１突起が前記第６貫通孔に嵌合されるまで、前記実装板は、前記メンブレンシート及び前記支持板に対して移動可能であることを特徴とするキースイッチ装置。
【請求項２】
前記実装板は、複数のキートップ毎に１つ設けられていることを特徴とする請求項１に記載のキースイッチ装置。
【請求項３】
請求項１又は２のいずれかに記載のキースイッチ装置が複数配列されていることを特徴とするキーボード。
【発明の詳細な説明】
【技術分野】
【０００１】
本発明は、キースイッチ装置及びキーボードに関する。
【背景技術】
【０００２】
従来より、キートップの間にケースの一部が配置されているアイソレーション構造のキーボードが知られている（例えば、特許文献１参照）。また、下ケースの下側からネジ留めすることによって、キーボード本体を上ケースと下ケースとの間に固定するキーボードが知られている（例えば、特許文献２参照）。
【０００３】
図１は、従来のキーボードの分解図である。図１のキーボード１は、支持板２、メンブレンシート３、キートップユニット４、フレーム５及びケース６を備えている。キートップユニット４は、キートップ４ａに加えて不図示のハウジングやリンク部材などを備えている。支持板２は、キートップユニット４をかしめ固定するための貫通孔２ａと、フレーム５の突起５ｃをかしめ固定するための貫通孔２ｂと、ケース６の裏側から延びる突起を嵌合する貫通孔２ｃとを備えている。
【０００４】
メンブレンシート３は、キートップユニット４のハウジングやリンク部材が通過する貫通孔３ａと、突起５ｃが通過する貫通孔３ｂと、ケース６の裏側の突起が通過する貫通孔３ｃとを備えている。フレーム５は、キートップ４ａが通過する貫通孔５ａと、ケース６の突起が通過する貫通孔５ｂと、突起５ｃとを備えている。ケース６は、キートップ４ａが通過する貫通孔６ａと、不図示の突起とを備えている。キートップユニット４は、メンブレンシート３を挟んで貫通孔２ａにかしめ固定される。突起５ｃは、貫通孔３ｂを介して貫通孔２ｂにかしめ固定される。ケース６の裏側の突起が、貫通孔５ｂ及び貫通孔３ｃを介して貫通孔２ｃと嵌合する。貫通孔６ａ及びキートップ４ａが干渉することを防ぐために、貫通孔６ａとキートップ４ａとの間には隙間が形成されている。
【先行技術文献】
【特許文献】
【０００５】
【特許文献１】特開２０１４−２３５６６３号公報
【特許文献２】特開２０００−１１２６２９号公報
【発明の概要】
【発明が解決しようとする課題】
【０００６】
ところで、図１のキーボード１では、ケース６の貫通孔６ａの中心とキートップ４ａの中心とがずれると、キートップ４ａが貫通孔６ａと干渉し、キートップ４ａが動作しなくなるおそれがある。また、キートップ４ａと貫通孔６ａとの干渉を防ぐために貫通孔６ａとキートップ４ａとの間に隙間を形成する必要があるが、隙間を大きくすると異物がキーボード内部に侵入する。
【０００７】
本発明は、キートップとケースの貫通孔との干渉を防ぎ、キートップとケースの貫通孔との間の隙間を低減することができるキースイッチ装置及びキーボードを提供することを目的とする。
【課題を解決するための手段】
【０００８】
上記目的を達成するため、明細書に開示されたキースイッチ装置は、キートップと、前記キートップが貫通する第１貫通孔及び下方に延伸する第１突起を有するケースと、前記キートップが貫通する第２貫通孔、前記第１突起が貫通する第３貫通孔及び下方に延伸する第２突起を有し、前記ケースの下に配置されるフレームと、前記キートップに摺動可能又は回動可能に取り付けられる第１被取付部と、回動可能に又は摺動可能に実装板に取り付けられる第２被取付部とを有し、互いに連動して前記キートップを昇降させる一対のリンク部材と、前記第１突起が貫通する第４貫通孔、前記第２突起が貫通する第５貫通孔及び前記一対のリンク部材を受容する開口部を有するメンブレンシートと、前記第２突起を固定する支持板と、前記第２被取付部を回動可能に又は摺動可能に取り付ける取付部及び前記第１突起が嵌合される第６貫通孔を有し、前記メンブレンシートと前記支持板との間に配置される実装板とを備え、前記第１突起が前記第６貫通孔に嵌合されるまで、前記実装板は、前記メンブレンシート及び前記支持板に対して移動可能であることを特徴とする。
【発明の効果】
【０００９】
本発明によれば、キートップとケースの貫通孔との干渉を防ぎ、キートップとケースの貫通孔との間の隙間を低減することができる。
【図面の簡単な説明】
【００１０】
【図１】従来のキーボードの分解図である。
【図２】本実施の形態に係るキーボードの分解斜視図である。
【図３】（Ａ）はケースの裏面を示す図である。（Ｂ）はフレームの裏面を示す図である。（Ｃ）はケースの突起が実装板の穴に嵌合する状態を示す図である。
【図４】キーボードの断面図である。
【図５】キーボードの製造工程を示す図である。
【図６】キーボードの製造工程を示す図である。
【図７】本実施の形態の変形例に係るキーボードの分解斜視図である。
【図８】キースイッチ装置の第１変形例を示す図である。
【図９】キースイッチ装置の第２変形例を示す図である。
【図１０】キースイッチ装置の第３変形例を示す図である。
【発明を実施するための形態】
【００１１】
以下、図面を参照しながら本発明の実施の形態を説明する。
【００１２】
図２は、本実施の形態に係るキーボードの分解斜視図である。図３（Ａ）はケースの裏面を示す図であり、図３（Ｂ）はフレームの裏面を示す図であり、図３（Ｃ）はケースの突起が実装板の穴に嵌合する状態を示す図である。図４は、キーボードの断面図である。
【００１３】
図２のアイソレーション構造のキーボード１００は、支持板１０、複数の実装板２０、メンブレンシート３０、複数のリンク部材４０、複数のハウジング５０、複数のキートップ６０、フレーム７０及びケース８０を備えている。尚、本実施の形態では、１つのキーに対応する支持板１０、実装板２０、メンブレンシート３０、リンク部材４０、ハウジング５０、キートップ６０、フレーム７０及びケース８０がキースイッチ装置を構成し、キーボード１００はキースイッチ装置を複数備えている。
【００１４】
ケース８０は、キートップ６０が貫通する貫通孔８１（第１貫通孔）を備えている。また、図３（Ａ）に示すように、ケース８０の裏面には、図３（Ｃ）に示すように実装板２０の貫通孔２２に嵌合される突起８２（第１突起）が形成されている。
【００１５】
図２に戻り、フレーム７０は、キートップ６０が貫通する貫通孔７１（第２貫通孔）を備えている。貫通孔７１の面積は貫通孔８１の面積よりも大きい。貫通孔７１の左右両端には、突起８２が貫通する貫通孔７２（第３貫通孔）が形成されている。また、図３（Ｂ）に示すように、フレーム７０の裏面には、支持板１０にかしめ固定される突起７３（第２突起）が形成されている。
【００１６】
ハウジング５０は、ハウジングのフレームである壁部５１と、リンク部材４０の回転軸部４１ｅを回転可能に受容する受容部５２と、実装板２０の貫通孔２１にかしめ固定される脚部５３と、ハウジング５０が実装板２０に取り付けられたときにラバーアクチュエータ３１が露出する貫通孔５４とを備えている。
【００１７】
一対のリンク部材４０は、樹脂で構成されるリンク部材４０ａ及び４０ｂを備えている。リンク部材４０ａ及び４０ｂは一端で互いに噛み合って連動する。キートップ６０が昇降動作の上限位置にあるときに、リンク部材４０ａ及び４０ｂは側面視Ｖ字状を呈するＶ字リンク構造である。
【００１８】
リンク部材４０ａは、互いに同一方向へ略並行に延びる一対の腕部４１ａと、腕部４１ａ間を連結する胴部４１ｂとを備えている。胴部４１ｂが連結されている腕部４１ａの外側面には、キートップ６０の裏面に摺動可能に装着される突起４１ｃ（第１被取付部）が形成されている。また、腕部４１ａの内側面には、受容部５２に受容される回転軸部４１ｅ（第２被取付部）が設けられている。各腕部４１ａは胴部４１ｂと一体形成されており、各腕部４１ａの他端にはリンク部材４０ｂの爪部４１ｆと噛み合う二股部４１ｄが形成されている。リンク部材４０ｂは、リンク部材４０ａと同様に、一対の腕部４１ａと、胴部４１ｂと、突起４１ｃと、回転軸部４１ｅを備えている。リンク部材４０ｂの各腕部４１ａは、二股部４１ｄと噛み合う爪部４１ｆを備えている。
【００１９】
メンブレンシート３０は、不図示のスイッチ上に配置されたラバーアクチュエータ３１と、リンク部材４０ａ及び４０ｂの腕部４１ａ並びにハウジング５０の壁部５１及び脚部５３を受容する開口部３２と、ケース８０の突起８２が貫通する貫通孔３３（第４貫通孔）と、フレーム７０の突起７３が貫通する貫通孔３４（第５貫通孔）とを備えている。
【００２０】
リンク部材４０が開口部３２に配置された状態では、リンク部材４０と開口部３２の外縁との間には前後左右に２，３ミリ程度の隙間が形成される。これによって、ハウジング５０によって実装板２０に固定されるリンク部材４０は、開口部３２内で前後左右に２，３ミリ程度移動可能である。貫通孔３３の面積は突起８２の水平方向の断面積と略同一である。貫通孔３４の面積は突起７３の水平方向の断面積よりも大きい。
【００２１】
複数の実装板２０は、それぞれ前後左右に２，３ミリ程度移動できるように分離されている。各実装板２０は、ハウジング５０の脚部５３がかしめ固定される貫通孔２１（取付部）と、ケース８０の突起８２と嵌合する貫通孔２２（第６貫通孔）とを備えている。貫通孔２１の面積は脚部５３の水平方向の断面積と略同一であり、貫通孔２２の面積は突起８２の水平方向の断面積と略同一である。
【００２２】
支持板１０は、かしめられた脚部５３を収容する貫通孔１１と、突起８２を収容する貫通孔１２と、突起７３がかしめ固定される貫通孔１３とを備えている。貫通孔１１はかしめられた脚部５３を収容するだけであり、脚部５３は貫通孔１１に固定されない。貫通孔１１の面積は脚部５３の水平方向の断面積よりも大きく、脚部５３が貫通孔１１内を前後左右に移動できる。貫通孔１２も突起８２を収容するだけであり、突起８２は貫通孔１２に固定されない。貫通孔１２の面積は突起８２の水平方向の断面積よりも大きい。
【００２３】
キーボード１００では、突起７３は、貫通孔３４を介して支持板１０の貫通孔１３に挿入されてかしめ固定される。各実装板２０に固定されたリンク部材４０は開口部３２内で前後左右に２，３ミリ程度移動可能であるので、キートップ６０、ハウジング５０及びリンク部材４０が固定された各実装板２０は、ケース８０の突起８２が貫通孔２２に嵌合されるまで、メンブレンシート３０及び支持板１０に対して前後左右に２，３ミリ程度移動可能である。そして、突起８２が各実装板２０の貫通孔２２に嵌合されて、実装板２０は位置決めされる。
【００２４】
よって、ケース８０の貫通孔８１の中心とキートップ６０の中心とが互いにずれた場合でも、キートップ６０、ハウジング５０及びリンク部材４０が固定された各実装板２０を移動させることができるので、キートップ６０と貫通孔８１との干渉を防ぐことができ、キートップ６０と貫通孔８１との隙間を低減できる。
【００２５】
図５及び図６は、キーボード１００の製造工程を示す図である。
【００２６】
図５において、まず、リンク部材４０をハウジング５０に取り付ける（Ｓ１）。このとき、リンク部材４０の回転軸部４１ｅをハウジング５０の受容部５２にはめ込む。次に、ラバーアクチュエータ３１が貫通孔５４から露出するように、リンク部材４０を取り付けたハウジング５０をメンブレンシート３０に取り付ける（Ｓ２）。図５ではメンブレンシート３０が裏返されているので、ラバーアクチュエータ３１はメンブレンシート３０で隠れている。
【００２７】
次いで、メンブレンシート３０から突出しているハウジング５０の脚部５３に実装板２０の貫通孔２１を差し込み（Ｓ３）、貫通孔２１から突出した脚部５３をかしめる（Ｓ４）。これにより、リンク部材４０及びハウジング５０がメンブレンシート３０を介して実装板２０に固定されるが、実装板２０はメンブレンシート３０に対して固定されていない。
【００２８】
次いで、リンク部材４０、ハウジング５０及び実装板２０が取り付けられたメンブレンシート３０をフレーム７０に取り付ける（Ｓ５）。このとき、フレーム７０の突起７３がメンブレンシート３０の貫通孔３４に差し込まれる。次に、メンブレンシート３０及び実装板２０を挟むようにフレーム７０上に支持板１０を取り付ける（Ｓ６）。このとき、突起７３が支持板１０の貫通孔１３に差し込まれる。次いで、貫通孔１３から突出した突起７３をかしめる（Ｓ７）。これにより、フレーム７０が支持板１０に固定され、フレーム７０と支持板１０との間にはメンブレンシート３０及び実装板２０が配置される。
【００２９】
そして、支持板１０が固定されたフレーム７０をひっくり返し、リンク部材４０、ハウジング５０及びラバーアクチュエータ３１が貫通孔７１から露出した状態で、キートップ６０をリンク部材４０に取り付ける（Ｓ８）。具体的には、リンク部材４０の突起４１ｃがキートップ６０の裏側に摺動可能に装着される。Ｓ８の状態で、リンク部材４０、ハウジング５０及びキートップ６０が取り付けられている実装板２０は、メンブレンシート３０及び支持板１０に対して前後左右に２，３ミリ程度移動可能であり、実装板２０の位置を調整することができる。
【００３０】
最後に、フレーム７０及びメンブレンシート３０を挟んでケース８０を実装板２０に取り付ける（Ｓ９）。ケース８０の突起８２はフレーム７０の貫通孔７２、メンブレンシート３０の貫通孔３３を貫通し、実装板２０の貫通孔２２に嵌合する。突起８２は支持板１０の貫通孔１２に到達するが貫通孔１２に固定されない。
【００３１】
図７は、本実施の形態の変形例に係るキーボードの分解斜視図である。図２のキーボード１００と同様の構成については、その説明を省略する。
【００３２】
図２のキーボード１００は、キースイッチ装置毎に又はキートップ毎に１つの実装板２０を備えていたが、図７のキーボード１００Ａは、複数のキースイッチ装置毎に又は複数のキートップ毎に１つの実装板２００を備えている。実装板２００同士は互いに離れている。
【００３３】
ケース８０の裏面には、実装板２００の貫通孔２２Ａに嵌合される突起８２Ａが形成されている。突起８２Ａは、図３（Ａ）の突起８２と、個数、大きさ及びケース８０上の位置の点で異なるが、実装板の貫通孔に嵌合する機能は突起８２と同様である。
【００３４】
フレーム７０には、突起８２Ａが貫通する貫通孔７２Ａが形成されている。貫通孔７２Ａは、図２の貫通孔７２と、個数、大きさ及びフレーム７０上の位置の点で異なるが、ケース８０の突起が貫通する機能は貫通孔７２と同様である。
【００３５】
メンブレンシート３０は、突起８２Ａが貫通する貫通孔３３Ａを備えている。貫通孔３３Ａの面積は突起８２Ａの水平方向の断面積と略同一である。貫通孔３３Ａは、図２の貫通孔３３と、個数、大きさ及びメンブレンシート３０上の位置の点で異なるが、ケース８０の突起が貫通する機能は貫通孔３３と同様である。
【００３６】
実装板２００は、突起８２Ａが嵌合する貫通孔２２Ａを備えている。貫通孔２２Ａの面積は突起８２Ａの水平方向の断面積と略同一である。貫通孔２２Ａは、図２の貫通孔２２と、個数、大きさ及び実装板上の位置の点で異なるが、ケース８０の突起が嵌合する機能は貫通孔２２と同様である。
【００３７】
支持板１０は、突起８２Ａを収容する貫通孔１２Ａを備えている。貫通孔１２Ａは突起８２Ａを収容するだけであり、突起８２Ａは貫通孔１２Ａに固定されない。貫通孔１２Ａの面積は突起８２Ａの水平方向の断面積よりも大きい。貫通孔１２Ａは、図２の貫通孔１２と、個数、大きさ及び支持板１０上の位置の点で異なるが、ケース８０の突起を収容する機能は貫通孔１２と同様である。
【００３８】
実装板２００に固定されたリンク部材４０は、メンブレンシート３０の開口部３２内で前後左右に２，３ミリ程度移動可能であるので、キートップ６０、ハウジング５０及びリンク部材４０が固定された実装板２００は、突起８２Ａが貫通孔２２Ａに嵌合されるまで実装板２０と同様にメンブレンシート３０及び支持板１０に対して前後左右に２，３ミリ程度移動可能である。そして、突起８２Ａが貫通孔２２Ａに嵌合されて実装板２００が位置決めされる。
【００３９】
よって、貫通孔８１の中心とキートップ６０の中心とがずれる場合でも、実装板２００を移動させることで、キートップ６０と貫通孔８１との干渉を防ぐことができ、キートップ６０と貫通孔８１との間の隙間を低減することができる。
【００４０】
図８は、キースイッチ装置の第１変形例を示す図である。図８では、支持板１０、フレーム７０及びケース８０は省略されている。また、図８では、メンブレンシート３０の一部を示しているが、図８のメンブレンシート３０は、図２のメンブレンシート３０と同様である。
【００４１】
図８のリンク部材４２は、図２のリンク部材４０と同様に、いわゆるＶ字リンク構造であり、ハウジング５０を使用せずに実装板２０に固定される。一対のリンク部材４２は、一端で互いに噛み合って連動する。リンク部材４２は、互いに同一方向に延びる一対の腕部４２ａと、腕部４２ａ間を連結する胴部４２ｂとを備えている。一対の腕部４２ａの先端側（リンク部材４２同士が噛み合う側）の外側面には、実装板２０の取付部２３に回転可能に装着される突起４２ｃ（第２被取付部）が形成されている。腕部４２ａの後端側の外側面には、キートップ６０の裏面に摺動可能に装着される突起４２ｄ（第１被取付部）が形成されている。
【００４２】
実装板２０には、突起４２ｃが取り付けられる取付部２３が形成されている。取付部２３には、突起４２ｃを挿入する穴２３ａが形成されている。また、取付部２３の近傍には、リンク部材４２を回動させた際にリンク部材４２の一部が入り込む孔２３ｂが形成されている。リンク部材４２は、穴２３ａに挿入された突起４２ｃを支点として回動する。
【００４３】
取付部２３及び腕部４２ａはメンブレンシート３０の開口部３２内に収容され、取付部２３に装着されたリンク部材４２は開口部３２内で前後左右に２，３ミリ程度移動可能である。従って、突起８２が貫通孔２２に嵌合されるまで、実装板２０はメンブレンシート３０及び支持板１０に対して前後左右に２，３ミリ程度移動可能である。図８では、取付部２３が実装板２０に形成されているが、取付部２３は図７の実装板２００に形成されてもよい。
【００４４】
図９は、キースイッチ装置の第２変形例を示す図である。図９では、支持板１０、フレーム７０及びケース８０は省略されている。また、図９では、メンブレンシート３０の一部を示しているが、図９のメンブレンシート３０は、図２のメンブレンシート３０と同様である。
【００４５】
図９のリンク部材４３はいわゆる逆Ｖ字リンク構造であり、ハウジング５０を使用せずに実装板２０に回転可能に固定される。一対のリンク部材４３は、一端で互いに噛み合って連動する。各リンク部材４３は、互いに同一方向へ延びる一対の腕部４３ａと、腕部４３ａを連結する胴部４３ｂとを備えている。腕部４３ａの先端側の外側面には、取付部２４に摺動可能に装着される突起４３ｃ（第２被取付部）が形成され、腕部４３ａの後端側の外側面には、キートップ６０の裏面に回転可能に装着される突起４３ｄ（第１被取付部）が形成されている。
【００４６】
実装板２０には、突起４３ｃを取リ付ける取付部２４が形成されている。取付部２４には、突起４３ｃを挿入し且つ前後に摺動させる貫通孔２４ａが形成されている。リンク部材４３は、キートップ６０の裏面に装着された突起４３ｄを支点として回動する。
【００４７】
取付部２４及び腕部４３ａはメンブレンシート３０の開口部３２内に収容され、取付部２４に装着されたリンク部材４３は開口部３２内で前後左右に２，３ミリ程度移動可能である。従って、突起８２が貫通孔２２に嵌合されるまで、キートップ６０及びリンク部材４３が装着された実装板２０は、メンブレンシート３０及び支持板１０に対して前後左右に２，３ミリ程度移動可能である。
【００４８】
図１０は、キースイッチ装置の第３変形例を示す図である。図１０では、支持板１０、フレーム７０及びケース８０は省略されている。また、図１０では、メンブレンシート３０の一部を示しているが、図１０のメンブレンシート３０は、図２のメンブレンシート３０と同様である。
【００４９】
図１０のリンク部材４４はいわゆるＸ字リンク構造であり、ハウジング５０を使用せずに実装板２０に回動可能に固定される。リンク部材４４は支点４４ａで回動可能に互いに固定されている。各リンク部材４４は、互いに同一方向へ延びる一対の腕部４４ｂと、腕部４４ｂを連結する第１胴部４４ｃと、腕部４４ｂの他端を連結する第２胴部４４ｄとを備えている。腕部４４ｂの一端側の外側面には、キートップ６０の裏面に回転可能に装着される突起４４ｅ（第１被取付部）が形成されている。腕部４４ａの他端側の外側面には、実装板２０の取付部２４に摺動可能に装着される突起４４ｆ（第２被取付部）が形成されている。
【００５０】
実装板２０には、突起４４ｆを取り付ける取付部２４が形成されている。取付部２４には、突起４４ｆを挿入し且つ前後に摺動させる貫通孔２４ａが形成されている。取付部２４及び腕部４４ｂはメンブレンシート３０の開口部３２内に収容され、取付部２４に装着されたリンク部材４４は開口部３２内で前後左右に２，３ミリ程度移動可能である。従って、突起８２が貫通孔２２に嵌合されるまで、実装板２０はメンブレンシート３０及び支持板１０に対して前後左右に２，３ミリ程度移動可能である。
【００５１】
図９，１０では、取付部２４が実装板２０に形成されているが、取付部２４は図７の実装板２００に形成されてもよい。また、図８〜１０の実装板２０が利用される場合は、支持板１０は貫通孔１１を備えていなくてもよい。
【００５２】
以上説明したように、本実施の形態によれば、ケース８０の突起８２が実装板２０の貫通孔２２に嵌合されるまで、キートップ６０及びリンク部材４０（４１−４３）が装着された実装板２０はメンブレンシート３０及び支持板１０に対して前後左右に移動可能であるので、実装板２０の位置を調節することでキートップ６０とケース８０との干渉を防ぐことができ、キートップ６０と貫通孔８１との隙間を低減することができる。
【００５３】
尚、本発明は、上述した実施の形態に限定されるものではなく、その要旨を逸脱しない範囲内で種々変形して実施することが可能である。
【符号の説明】
【００５４】
１０  支持板
２０  実装板
３０  メンブレンシート
４０  リンク部材
５０  ハウジング
６０  キートップ
７０  フレーム
８０  ケース
１００  キーボード
【図１】
2018170133.tif 000003
【図２】
2018170133.tif 000004
【図３】
2018170133.tif 000005
【図４】
2018170133.tif 000006
【図５】
2018170133.tif 000007
【図６】
2018170133.tif 000008
【図７】
2018170133.tif 000009
【図８】
2018170133.tif 000010
【図９】
2018170133.tif 000011
【図１０】
2018170133.tif 000012